(57)【要約】【課題】袋に穴が開いて真空が破れたとしてもロール状マットレスの形態を維持できると共に、さらなるコンパクト化を図ることができるマットレス梱包体を提供する。【解決手段】マットレス梱包体１はロール状マットレス２とそれが収容される段ボール箱３からなる。ロール状マットレス２は、複数のコイルスプリングを並行配列で配列したポケットコイルマットレス４と袋５とフィルム６からなる。ポケットコイルマットレス４が袋５に密封状に圧縮収容された状態でマットレス４の幅方向の最も内側の隣接する２列の連続ポケットコイルスプリング列の間から縦に二つ折りされ、その二つ折りされたマットレス４がフィルム６の上に載置された状態でそのフィルム６と一緒にロール状に巻かれ、そのロール状のマットレス４の巻き終わりからフィルム６のみがそのロール状のマットレス４の外側でさらに複数回巻かれているロール構造とする。【選択図】図１
2020001828.tif 000002
【特許請求の範囲】
【請求項１】
ロール状マットレスとそのロール状マットレスが収容される段ボール箱からなり、前記ロール状マットレスは、ポケットコイルマットレスと袋とフィルムからなり、前記ポケットコイルマットレスは、複数のコイルスプリングを並行配列で配列したポケットコイル集合体を備え、前記ポケットコイル集合体は、通気性を有する帯状シート材により前記ポケットコイルマットレスの長手方向に沿って連続的に形成された複数の連続円筒状袋の１袋に１個のコイルスプリングを収容して列状に形成された連続ポケットコイルスプリング列を前記ポケットコイルマットレスの幅方向に複数列に並べてなり、前記ロール状マットレスは、前記ポケットコイルマットレスが前記袋に密封状に圧縮収容された状態で前記ポケットコイルマットレスの幅方向の最も内側の隣接する２列の連続ポケットコイルスプリング列の間から縦に二つ折りされ、その二つ折りされたポケットコイルマットレスが前記フィルムの上に載置された状態でそのフィルムと一緒にロール状に巻かれ、そのロール状のポケットコイルマットレスの巻き終わりから前記フィルムのみがそのロール状のポケットコイルマットレスの外側でさらに複数回巻かれているロール構造を有することを特徴とするマットレス梱包体。
【発明の詳細な説明】
【技術分野】
【０００１】
本発明は、マットレスをその嵩を減らしてコンパクトな形態で流通させるためのマットレス梱包体に関するものである。
【背景技術】
【０００２】
従来のマットレス梱包体として、マットレスを気密性のある袋に入れてその袋ごと厚さ方向に圧縮し、その状態で袋の開口部を封止し、そしてロール状に巻いて段ボール箱に入れたものが知られている（例えば、特許文献１参照。）。
【０００３】
そして、例えば幅１２０ｃｍ×長さ１９５ｃｍ×厚さ１５ｃｍ〜２０ｃｍ程度のＳＤ（セミダブル）サイズのポケットコイルマットレスの場合、マットレス梱包体にすると、その縦・横・高さの三辺合計が２００ｃｍ程度の梱包サイズを実現することができる。
【先行技術文献】
【特許文献】
【０００４】
【特許文献１】特開２００４−１０１１９号公報
【発明の概要】
【発明が解決しようとする課題】
【０００５】
昨今、インターネットショッピングの最盛期とともに、人手不足による物流危機で、宅配料金の値上げが相次いでいる中で、マットレス梱包体にはさらなるコンパクト化が求められている。また、マットレス梱包体では袋に穴が開いて真空が破れると、マットレスが復元してしまう虞があった。
【課題を解決するための手段】
【０００６】
そこで、本発明では、前記課題の解決手段として、ロール状マットレスとそのロール状マットレスが収容される段ボール箱からなり、前記ロール状マットレスは、ポケットコイルマットレスと袋とフィルムからなり、前記ポケットコイルマットレスは、複数のコイルスプリングを並行配列で配列したポケットコイル集合体を備え、前記ポケットコイル集合体は、通気性を有する帯状シート材により前記ポケットコイルマットレスの長手方向に沿って連続的に形成された複数の連続円筒状袋の１袋に１個のコイルスプリングを収容して列状に形成された連続ポケットコイルスプリング列を前記ポケットコイルマットレスの幅方向に複数列に並べてなり、前記ロール状マットレスは、前記ポケットコイルマットレスが前記袋に密封状に圧縮収容された状態で前記ポケットコイルマットレスの幅方向の最も内側の隣接する２列の連続ポケットコイルスプリング列の間から縦に二つ折りされ、その二つ折りされたポケットコイルマットレスが前記フィルムの上に載置された状態でそのフィルムと一緒にロール状に巻かれ、そのロール状のポケットコイルマットレスの巻き終わりから前記フィルムのみがそのロール状のポケットコイルマットレスの外側でさらに複数回巻かれているロール構造を有することを特徴とするマットレス梱包体を提供する。
【発明の効果】
【０００７】
仮にポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でそのままロール状に巻かれる場合、ロール状マットレスの軸方向の長さは元のポケットコイルマットレスの幅以上になり、それに伴いロール状マットレスの軸方向に沿った段ボール箱の一辺の長さも元のポケットコイルマットレスの幅以上になる。これに対し、本発明によれば、ポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でポケットコイルマットレスの幅方向の最も内側の隣接する２列の連続ポケットコイルスプリング列の間から縦に二つ折りされ、その二つ折りされたポケットコイルマットレスがロール状に巻かれるので、ロール状マットレスの軸方向の長さは元のポケットコイルマットレスの幅未満になり、それに伴いロール状マットレスの軸方向に沿った段ボール箱の一辺の長さも元のポケットコイルマットレスの幅未満にすることができる。
【０００８】
また、二つ折りされたポケットコイルマットレスはそのままロール状に巻かれるのではなく、フィルムの上に載置された状態でそのフィルムと一緒にロール状に巻かれ、そのロール状のポケットコイルマットレスの巻き終わりからフィルムのみがそのロール状のポケットコイルマットレスの外側でさらに複数回巻かれているので、袋に穴が開いて真空が破れたとしても、ロール状マットレスの形態を維持することができる。
【０００９】
そして、ポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でポケットコイルマットレスの幅方向の最も内側の隣接する２列の連続ポケットコイルスプリング列の間から縦に二つ折りされ、その二つ折りされたポケットコイルマットレスがロール状に巻かれることで、仮にポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でそのままロール状に巻かれる場合に比べて、ロール状マットレスの直径が長くなり、それに伴いロール状マットレスの軸方向と直交する段ボール箱の残り二辺の長さも長くなるが、二つ折りされたポケットコイルマットレスがフィルムの上に載置された状態でそのフィルムと一緒にロール状に巻かれる際に、フィルムに張力を掛けることで、二つ折りされたポケットコイルマットレスがそのままロール状に巻かれる場合に比べて、ロール状マットレスの直径が短くなり、それに伴いロール状マットレスの軸方向と直交する段ボール箱の残り二辺の長さも短くすることができる。
【００１０】
これにより、ポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でポケットコイルマットレスの幅方向の最も内側の隣接する２列の連続ポケットコイルスプリング列の間から縦に二つ折りされ、その二つ折りされたポケットコイルマットレスがロール状に巻かれることで、ロール状マットレスの軸方向に沿った段ボール箱の一辺の長さが短くなる分と、ロール状マットレスの軸方向と直交する段ボール箱の残り二辺の長さが長くなる分とが相殺されることなく、マットレス梱包体の縦・横・高さの三辺合計を効率よく減らすことができ、すなわち、マットレス梱包体のさらなるコンパクト化を効率よく実現することができ、商品（ポケットコイルマットレス）の送料（宅配便料金）が安くなり、商品をさらに安くお客様に届けることができるようになる。
【図面の簡単な説明】
【００１１】
【図１】本発明の一実施形態に係るマットレス梱包体を示す斜視図である。
【図２】図１のマットレス梱包体のロール状マットレスの軸方向に直交する断面図である。
【図３】図１のマットレス梱包体のロール状マットレスの軸方向に沿った断面図である。
【図４】梱包対象のポケットコイルマットレスを示す斜視図である。
【図５】図４のポケットコイルマットレスの内部構造を示す断面図である。
【図６】図４のポケットコイルマットレスのポケットコイル集合体を示す平面図である。
【図７】連続ポケットコイルスプリング列を示す断面平面図である。
【図８】連続ポケットコイルスプリング列を示す断面側面図である。
【図９】図１のマットレス梱包体のロール状マットレスの形成手順を示す説明図である。
【発明を実施するための形態】
【００１２】
以下、本発明の一実施形態について図面を参照しながら説明する。
【００１３】
図１〜図３に示すように、マットレス梱包体１は、ロール状マットレス２と、そのロール状マットレス２が収容される段ボール箱３からなる。
【００１４】
ロール状マットレス２は、図４〜図６に示す梱包対象のポケットコイルマットレス４と、袋５と、フィルム６と、片面粘着テープ７からなる。
【００１５】
図４〜図６に示すように、ポケットコイルマットレス４は、複数のコイルスプリング２０を並行配列で配列した（言い換えると、複数のコイルスプリング２０を行列状に配置した）ポケットコイル集合体２１を備えている。
【００１６】
ポケットコイル集合体２１は、図７〜図８に示すように、通気性を有する不織布からなる帯状シート材によりポケットコイルマットレス４の長手方向に沿って連続的に形成された複数の連続円筒状袋２２の１袋に１個のコイルスプリング２０を収容して列状に形成された連続ポケットコイルスプリング列２３を、ポケットコイルマットレス４の幅方向に複数列に並べてなる。隣り合う連続ポケットコイルスプリング列２３同士は、隣り合う連続円筒状袋２２の側面上下二箇所でホットメルト等の接着剤２４により接着されている。
【００１７】
連続円筒状袋２２は、帯状シート材をその幅方向の両側から折り畳んで形成される空間にコイルスプリング２０が収容される構造とし、帯状シート材の長手方向の端部同士を溶着して連続円筒形袋２２の一側面に長手方向溶着部２２ａを設けると共に、帯状シート材の長手方向に沿って所定ピッチで帯状シート材の幅方向に沿って溶着して隣接する円筒形袋２２の間に幅方向溶着部２２ｂを設けることにより形成されている。
【００１８】
図４〜図５に示すように、ポケットコイル集合体２１の上下面に不織布２５，２６を積層し、ポケットコイル集合体２１と不織布２５，２６の積層体が外装体２７によって被覆されている。
【００１９】
ポケットコイル集合体２１の上面に積層される不織布２５は、各連続ポケットコイルスプリング列２３の連続円筒状袋２２の上面に対してホットメルト等の接着剤２８により接着されている。ポケットコイル集合体２１の下面に積層される不織布２６は、各連続ポケットコイルスプリング列２３の連続円筒状袋２２の下面に対してホットメルト等の接着剤２９により接着されている。
【００２０】
ポケットコイル集合体２１の上面に積層される不織布２５は積層体の上面より一回り大きい面積を有しており、積層体の上面からはみ出す不織布２５の周縁部は積層体の外周面に沿って下向きに折り曲げられ、積層体の外周面上部を覆うフランジ部２５ａに形成されている。ポケットコイル集合体２１の下面に積層される不織布２６は積層体の下面より一回り大きい面積を有しており、積層体の下面からはみ出す不織布２６の周縁部は積層体の外周面に沿って上向きに折り曲げられ、積層体の外周面下部を覆うフランジ部２６ａに形成されている。
【００２１】
外装体２７は、積層体の上面（不織布２５の上面）を被覆する表地体３０と、積層体の下面（不織布２６の下面）を被覆する裏地体３１と、積層体の外周面を被覆するまち部３２と、積層体の外周面上部と不織布２５のフランジ部２５ａとの間に設けられる環状の上部連結布３３と、積層体の外周面下部と不織布２６のフランジ部２６ａとの間に設けられる環状の下部連結布３４とを有している。
【００２２】
表地体３０とまち部３２は、ポリエステル繊維からなる表地３０ａ，３２ａと不織布からなる裏地３０ｂ，３２ｂとの間に詰め物としてのウレタンフォーム３０ｃ，３２ｃを介在させ、これら三者を一体にキルティング加工して形成されている。裏地体３１と上部連結布３３と下部連結布３４は不織布からなる。
【００２３】
まち部３２の上端は表地体３０の周縁部にポリエステル繊維からなるエッジテープ３５によって一体に縫合されている。まち部３２の上端と表地体３０の周縁部をエッジテープ３５によって縫合する際、断面円形の発泡ポリエチレン製線状体からなる芯体３６を抱き込んだ状態で上部連結布３３の上端も一緒に縫合されている。上部連結布３３の下端は不織布２５のフランジ部２５ａの下端と一緒に積層体の周側部に位置する連続円筒状袋２２に複数のクリップ３７によって止着されている。
【００２４】
まち部３２の下端は裏地体３１の周縁部にポリエステル繊維からなるエッジテープ３８によって一体に縫合されている。まち部３２の下端と裏地体３１の周縁部をエッジテープ３８によって縫合する際、断面円形の発泡ポリエチレン製線状体からなる芯体３９を抱き込んだ状態で下部連結布３４の上端も一緒に縫合されている。下部連結布３４の上端は不織布２６のフランジ部２６ａの上端と一緒に積層体の周側部に位置する連続円筒状袋２２に複数のクリップ４０によって止着されている。
【００２５】
袋５はポケットコイルマットレス４の外形よりも一回り大きいサイズで、一辺側に開口部５ａが設けられている。袋５はポリエチレンフィルム等からなる気密性を有する合成樹脂袋からなる。フィルム６はポリエチレンフィルム等からなる帯状の合成樹脂フィルムからなり、ポケットコイルマットレス４の幅の略半分程度の幅を有している。
【００２６】
そして、ロール状マットレス２は以下の手順で形成されている。
【００２７】
先ず、図９（ａ）に示すように、ポケットコイルマットレス４を袋５に入れる。
【００２８】
次に、図９（ｂ）に示すように、袋５に入れたポケットコイルマットレス４をプレス機のプランジャ下端の押え板を使用して袋５ごと上から押圧することで、袋５に入れたポケットコイルマットレス４をその厚さ方向に袋５ごと圧縮して袋５の内部から空気（袋５の内部の空気及びポケットコイルマットレス４の内部に含まれる空気）を強制的に排出させ、この圧縮状態で袋５の開口部５ａを溶着することによって封止する。すると、袋５は密封されて、内部のポケットコイルマットレス４はその厚さ方向に圧縮された状態を維持して復元することはない。
【００２９】
次に、図９（ｃ）に示すように、袋５に密封状に圧縮収容されたポケットコイルマットレス４を、その幅方向の最も内側の隣接する２列の連続ポケットコイルスプリング列２３ａ，２３ｂの間からポケットコイルマットレス４の長手方向に沿って縦に二つ折りし、この二つ折り状態でフィルム６の上に載置する。
【００３０】
次に、図９（ｄ）に示すように、フィルム６の上に二つ折り状態で載置されたポケットコイルマットレス４をそのフィルム６と一緒にロール状に巻く。フィルム６の上に二つ折り状態で載置されたポケットコイルマットレス４をそのフィルム６と一緒にロール状に巻く際は、先ず巻き取り機の巻き取り軸の外周（予め、段ボールを丸めてなる段ボール筒で覆ってある。）にフィルム６のみを複数回巻き取り、その後フィルム６に張力を掛けながら、そのフィルム６と一緒にポケットコイルマットレス４をロール状に巻き取る。ポケットコイルマットレス４の巻き取りが終われば、さらに、その外側にフィルム６を複数回巻き付けてからフィルム６をその幅方向に切断し、ロール状マットレス２となす。
【００３１】
最後に、図９（ｅ）に示すように、ロール状マットレス２の外周に片面粘着テープ７を螺旋状に巻き付け、フィルム６の巻き終り端部をその下層のフィルム６に止めてほぐれないようにして、ロール状マットレス２の形態が維持されて解除されることがないようにしてから、ロール状マットレス２を段ボール筒ごと巻き取り機の巻き取り軸から引き抜いて取り出し、その後、ロール状マットレス２から段ボール筒を引き抜いてロール状マットレス２が形成される。
【００３２】
このように形成されたロール状マットレス２を段ボール箱３に入れて図１〜図３に示したマットレス梱包体１となすものである。
【００３３】
以上から明らかなように、本実施形態に係るマットレス梱包体１は、ロール状マットレス２とそのロール状マットレス２が収容される段ボール箱３からなり、ロール状マットレス２は、ポケットコイルマットレス４と袋５とフィルム６からなり、ポケットコイルマットレス４は、複数のコイルスプリング２０を並行配列で配列したポケットコイル集合体２１を備え、ポケットコイル集合体２１は、通気性を有する帯状シート材によりポケットコイルマットレス４の長手方向に沿って連続的に形成された複数の連続円筒状袋２２の１袋に１個のコイルスプリング２０を収容して列状に形成された連続ポケットコイルスプリング列２３をポケットコイルマットレス４の幅方向に複数列に並べてなり、ロール状マットレス２は、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス２がフィルム６の上に載置された状態でそのフィルム６と一緒にロール状に巻かれ、そのロール状のポケットコイルマットレス４の巻き終わりからフィルム６のみがそのロール状のポケットコイルマットレス４の外側でさらに複数回巻かれているロール構造を有するものである。
【００３４】
そして、仮にポケットコイルマットレス４が袋５に密封状に圧縮収容された状態でそのままロール状に巻かれる場合、ロール状マットレス２の軸方向の長さは元のポケットコイルマットレス４の幅以上になり、それに伴いロール状マットレス２の軸方向に沿った段ボール箱３の一辺の長さＡも元のポケットコイルマットレス４の幅ａ以上になる。これに対し、本実施形態のマットレス梱包体１によれば、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス２がロール状に巻かれるので、ロール状マットレス２の軸方向の長さは元のポケットコイルマットレス６の幅ａの略半分になり、それに伴いロール状マットレス２の軸方向に沿った段ボール箱６の一辺の長さＡも元のポケットコイルマットレス４の幅の略半分にすることができる。
【００３５】
また、二つ折りされたポケットコイルマットレス４はそのままロール状に巻かれるのではなく、フィルム６の上に載置された状態でそのフィルム６と一緒にロール状に巻かれ、そのロール状のポケットコイルマットレス４の巻き終わりからフィルム６のみがそのロール状のポケットコイルマットレス４の外側でさらに複数回巻かれているので、袋５に穴が開いて真空が破れたとしても、ロール状マットレス２の形態を維持することができる。
【００３６】
そして、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス４がロール状に巻かれることで、仮にポケットコイルマットレス４が袋５に密封状に圧縮収容された状態でそのままロール状に巻かれる場合に比べて、ロール状マットレス２の直径が長くなり、それに伴いロール状マットレス２の軸方向と直交する段ボール箱３の残り二辺の長さＢ，Ｃも長くなるが、二つ折りされたポケットコイルマットレス４がフィルム６の上に載置された状態でそのフィルム６と一緒にロール状に巻かれる際に、フィルム６に張力を掛けることで、二つ折りされたポケットコイルマットレス４がそのままロール状に巻かれる場合に比べて、ロール状マットレス２の直径が短くなり、それに伴いロール状マットレス２の軸方向と直交する段ボール箱３の残り二辺の長さＢ，Ｃも短くすることができる。
【００３７】
これにより、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス４がロール状に巻かれることで、ロール状マットレス２の軸方向に沿った段ボール箱３の一辺の長さＡが短くなる分と、ロール状マットレス２の軸方向と直交する段ボール箱３の残り二辺の長さＢ，Ｃが長くなる分とが相殺されることなく、マットレス梱包体１の縦・横・高さの三辺合計を効率よく減らすことができ、すなわち、マットレス梱包体１のさらなるコンパクト化を効率よく実現することができ、商品（ポケットコイルマットレス４）の送料（宅配便料金）が安くなり、商品をさらに安くお客様に届けることができるようになる。
【００３８】
そして、具体的には、例えば幅９７ｃｍ×長さ１９５ｃｍ×厚さ１５ｃｍ〜２０ｃｍ程度のＳ（シングル）サイズで、４６５個のコイルスプリング２０を並行配列（１５列×３１行）で配列したポケットコイル集合体２１を備えるポケットコイルマットレス４の場合、マットレス梱包体１にすると、ロール状マットレス２の軸方向に沿った段ボール箱３の一辺の長さＡが５７ｃｍ（ロール状マットレス２の軸方向の長さが６５ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１３７ｃｍ程度の梱包サイズを実現することができる。
【００３９】
また、幅１２０ｃｍ×長さ１９５ｃｍ×厚さ１５ｃｍ〜２０ｃｍ程度のＳＤ（セミダブル）サイズで、５８９個のコイルスプリング２０を並行配列（１９列×３１行）で配列したポケットコイル集合体２１を備えるポケットコイルマットレス４（図例のもの）の場合、マットレス梱包体１にすると、ロール状マットレス２の軸方向に沿った段ボール箱３の一辺の長さＡが６７ｃｍ（ロール状マットレス２の軸方向の長さが６５ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１４７ｃｍ程度の梱包サイズを実現することができる。
【００４０】
さらに、幅１４０ｃｍ×長さ１９５ｃｍ×厚さ１５ｃｍ〜２０ｃｍ程度のＤ（ダブル）サイズで、６８２個のコイルスプリング２０を並行配列（２２列×３１行）で配列したポケットコイル集合体２１を備えるポケットコイルマットレス４（図例のもの）の場合、マットレス梱包体１にすると、ロール状マットレス２の軸方向に沿った段ボール箱３の一辺の長さＡが７７ｃｍ（ロール状マットレス２の軸方向の長さが７０ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１５７ｃｍ程度の梱包サイズを実現することができる。
【００４１】
このように、複数のコイルスプリング２０を並行配列で配列したポケットコイルマットレス４をその厚さ方向に圧縮し、そして最も内側の隣接する２列の連続ポケットコイルスプリング列２３ａ，２３ｂの間から縦に二つ折りし、その後、フィルム６に張力を掛けながらそのフィルム６と一緒にロール状に巻くことで、ＳＤ、Ｄサイズの梱包サイズが三辺合計で１６０ｃｍ以下になり、これにより、商品（ポケットコイルマットレス４）の送料（宅配便料金）が安くなり、商品をさらに安くお客様に届けることができるようになる。
【符号の説明】
【００４２】
１  マットレス梱包体
２  ロール状マットレス
３  段ボール箱
４  ポケットコイルマットレス
５  袋
６  フィルム
２０  コイルスプリング
２１  ポケットコイル集合体
２２  連続円筒状袋
２３  連続ポケットコイルスプリング列
【図１】
2020001828.tif 000003
【図２】
2020001828.tif 000004
【図３】
2020001828.tif 000005
【図４】
2020001828.tif 000006
【図５】
2020001828.tif 000007
【図６】
2020001828.tif 000008
【図７】
2020001828.tif 000009
【図８】
2020001828.tif 000010
【図９】
2020001828.tif 000011
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
ロール状マットレスとそのロール状マットレスが収容される段ボール箱とを有したマットレス梱包体であって、前記ロール状マットレスは、ポケットコイルマットレスと袋とを有し、前記ポケットコイルマットレスは、複数のコイルスプリングを並行配列で配列したポケットコイル集合体を備え、前記ポケットコイル集合体は、通気性を有する帯状シート材により前記ポケットコイルマットレスの長手方向に沿って連続的に形成された複数の連続円筒状袋の１袋に１個のコイルスプリングを収容して列状に形成された連続ポケットコイルスプリング列を前記ポケットコイルマットレスの幅方向に複数列に並べてなり、前記ロール状マットレスは、前記ポケットコイルマットレスが前記袋に密封状に圧縮収容された状態で前記ポケットコイルマットレスの幅方向の最も内側の隣接する２列の連続ポケットコイルスプリング列の間から縦に二つ折りされ、その二つ折りされたポケットコイルマットレスがロール状に巻かれていることを特徴とするマットレス梱包体。
【手続補正２】
【補正対象書類名】明細書
【補正対象項目名】全文
【補正方法】変更
【補正の内容】
【発明の詳細な説明】
【技術分野】
【０００１】
本発明は、マットレスをその嵩を減らしてコンパクトな形態で流通させるためのマットレス梱包体に関し、特に本発明はコイルスプリングを有するマットレスであってもコンパクトな形態で流通させることを可能にしたマットレス梱包体に関するものである。
【背景技術】
【０００２】
従来のマットレス梱包体として、コイルスプリングなしのマットレスを気密性のある袋に入れてその袋ごと厚さ方向に圧縮し、その状態で袋の開口部を封止し、そしてロール状に巻いて段ボール箱に入れたものは知られている（例えば、特許文献１参照。）。
【先行技術文献】
【特許文献】
【０００３】
【特許文献１】特開２００４−１０１１９号公報
【発明の概要】
【発明が解決しようとする課題】
【０００４】
昨今、インターネットショッピングの最盛期とともに、人手不足による物流危機で、宅配料金の値上げが相次いでいる中で、マットレス梱包体にはさらなるコンパクト化が求められている。また、マットレス梱包体では袋に穴が開いて真空が破れると、マットレスが復元してしまう虞があった
【課題を解決するための手段】
【０００５】
そこで、本発明では、ロール状マットレスとそのロール状マットレスが収容される段ボール箱とを有したマットレス梱包体であって、前記ロール状マットレスは、ポケットコイルマットレスと袋とを有し、前記ポケットコイルマットレスは、複数のコイルスプリングを並行配列で配列したポケットコイル集合体を備え、前記ポケットコイル集合体は、通気性を有する帯状シート材により前記ポケットコイルマットレスの長手方向に沿って連続的に形成された複数の連続円筒状袋の１袋に１個のコイルスプリングを収容して列状に形成された連続ポケットコイルスプリング列を前記ポケットコイルマットレスの幅方向に複数列に並べてなり、前記ロール状マットレスは、前記ポケットコイルマットレスが前記袋に密封状に圧縮収容された状態で前記ポケットコイルマットレスの幅方向の最も内側の隣接する２列の連続ポケットコイルスプリング列の間から縦に二つ折りされ、その二つ折りされたポケットコイルマットレスがロール状に巻かれていることを特徴とするマットレス梱包体を提供する。
【発明の効果】
【０００６】
仮にポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でそのままロール状に巻かれる場合、ロール状マットレスの軸方向の長さは元のポケットコイルマットレスの幅以上になり、それに伴いロール状マットレスの軸方向に沿った段ボール箱の一辺の長さも元のポケットコイルマットレスの幅以上になる。これに対し、本発明によれば、ポケットコイルマットレス（複数のコイルスプリングを並行配列で配列したポケットコイル集合体を備え、ポケットコイル集合体は、通気性を有する帯状シート材によりポケットコイルマットレスの長手方向に沿って連続的に形成された複数の連続円筒状袋の１袋に１個のコイルスプリングを収容して列状に形成された連続ポケットコイルスプリング列をポケットコイルマットレスの幅方向に複数列に並べてなるポケットコイルマットレス）が袋に密封状に圧縮収容された状態でポケットコイルマットレスの幅方向の最も内側の隣接する２列の連続ポケットコイルスプリング列の間から縦に二つ折りされ、その二つ折りされたポケットコイルマットレスがロール状に巻かれるので、ロール状マットレスの軸方向の長さは元のポケットコイルマットレスの幅未満になり、それに伴いロール状マットレスの軸方向に沿った段ボール箱の一辺の長さも元のポケットコイルマットレスの幅未満にすることができる。
【０００７】
また、二つ折りされたポケットコイルマットレスはそのままロール状に巻かれるのではなく、フィルムの上に載置された状態でそのフィルムと一緒にロール状に巻かれ、そのロール状のポケットコイルマットレスの巻き終わりからフィルムのみがそのロール状のポケットコイルマットレスの外側でさらに複数回巻かれていると、袋に穴が開いて真空が破れたとしても、ロール状マットレスの形態を維持することができる。
【０００８】
また、ポケットコイルマットレスが袋に密封状に圧縮収容された状態でポケットコイルマットレスの幅方向の最も内側の隣接する２列の連続ポケットコイルスプリング列の間から縦に二つ折りされ、その二つ折りされたポケットコイルマットレスがロール状に巻かれることで、仮にポケットコイルマットレスが袋に密封状に圧縮収容された状態でそのままロール状に巻かれる場合に比べて、ロール状マットレスの直径が長くなり、それに伴いロール状マットレスの軸方向と直交する段ボール箱の残り二辺の長さも長くなるが、二つ折りされたポケットコイルマットレスがフィルムの上に載置された状態でそのフィルムと一緒にロール状に巻かれる際に、フィルムに張力を掛けることで、二つ折りされたポケットコイルマットレスがそのままロール状に巻かれる場合に比べて、ロール状マットレスの直径が短くなり、それに伴いロール状マットレスの軸方向と直交する段ボール箱の残り二辺の長さも短くすることができる。
【０００９】
これにより、マットレス梱包体の縦・横・高さの三辺合計を効率よく減らすことができ、すなわち、マットレス梱包体のさらなるコンパクト化を効率よく実現することができ、商品（ポケットコイルマットレス）の送料（宅配便料金）が安くなり、商品をさらに安くお客様に届けることができるようになる。
【図面の簡単な説明】
【００１０】
【図１】本発明の一実施形態に係るマットレス梱包体を示す斜視図である。
【図２】図１のマットレス梱包体のロール状マットレスの軸方向に直交する断面図である。
【図３】図１のマットレス梱包体のロール状マットレスの軸方向に沿った断面図である。
【図４】梱包対象のポケットコイルマットレスを示す斜視図である。
【図５】図４のポケットコイルマットレスの内部構造を示す断面図である。
【図６】図４のポケットコイルマットレスのポケットコイル集合体を示す平面図である。
【図７】連続ポケットコイルスプリング列を示す断面平面図である。
【図８】連続ポケットコイルスプリング列を示す断面側面図である。
【図９】図１のマットレス梱包体のロール状マットレスの形成手順を示す説明図である。
【発明を実施するための形態】
【００１１】
以下、本発明の一実施形態について図面を参照しながら説明する。
【００１２】
図１〜図３に示すように、マットレス梱包体１は、ロール状マットレス２と、そのロール状マットレス２が収容される段ボール箱３からなる。
【００１３】
ロール状マットレス２は、図４〜図６に示す梱包対象のポケットコイルマットレス４と、袋５と、フィルム６と、片面粘着テープ７からなる。
【００１４】
図４〜図６に示すように、ポケットコイルマットレス４は、複数のコイルスプリング２０を並行配列で配列した（言い換えると、複数のコイルスプリング２０を行列状に配置した）ポケットコイル集合体２１を備えている。
【００１５】
ポケットコイル集合体２１は、図７〜図８に示すように、通気性を有する不織布からなる帯状シート材によりポケットコイルマットレス４の長手方向に沿って連続的に形成された複数の連続円筒状袋２２の１袋に１個のコイルスプリング２０を収容して列状に形成された連続ポケットコイルスプリング列２３を、ポケットコイルマットレス４の幅方向に複数列に並べてなる。隣り合う連続ポケットコイルスプリング列２３同士は、隣り合う連続円筒状袋２２の側面上下二箇所でホットメルト等の接着剤２４により接着されている。
【００１６】
連続円筒状袋２２は、帯状シート材をその幅方向の両側から折り畳んで形成される空間にコイルスプリング２０が収容される構造とし、帯状シート材の長手方向の端部同士を溶着して連続円筒形袋２２の一側面に長手方向溶着部２２ａを設けると共に、帯状シート材の長手方向に沿って所定ピッチで帯状シート材の幅方向に沿って溶着して隣接する円筒形袋２２の間に幅方向溶着部２２ｂを設けることにより形成されている。
【００１７】
図４〜図５に示すように、ポケットコイル集合体２１の上下面に不織布２５，２６を積層し、ポケットコイル集合体２１と不織布２５，２６の積層体が外装体２７によって被覆されている。
【００１８】
ポケットコイル集合体２１の上面に積層される不織布２５は、各連続ポケットコイルスプリング列２３の連続円筒状袋２２の上面に対してホットメルト等の接着剤２８により接着されている。ポケットコイル集合体２１の下面に積層される不織布２６は、各連続ポケットコイルスプリング列２３の連続円筒状袋２２の下面に対してホットメルト等の接着剤２９により接着されている。
【００１９】
ポケットコイル集合体２１の上面に積層される不織布２５は積層体の上面より一回り大きい面積を有しており、積層体の上面からはみ出す不織布２５の周縁部は積層体の外周面に沿って下向きに折り曲げられ、積層体の外周面上部を覆うフランジ部２５ａに形成されている。ポケットコイル集合体２１の下面に積層される不織布２６は積層体の下面より一回り大きい面積を有しており、積層体の下面からはみ出す不織布２６の周縁部は積層体の外周面に沿って上向きに折り曲げられ、積層体の外周面下部を覆うフランジ部２６ａに形成されている。
【００２０】
外装体２７は、積層体の上面（不織布２５の上面）を被覆する表地体３０と、積層体の下面（不織布２６の下面）を被覆する裏地体３１と、積層体の外周面を被覆するまち部３２と、積層体の外周面上部と不織布２５のフランジ部２５ａとの間に設けられる環状の上部連結布３３と、積層体の外周面下部と不織布２６のフランジ部２６ａとの間に設けられる環状の下部連結布３４とを有している。
【００２１】
表地体３０とまち部３２は、ポリエステル繊維からなる表地３０ａ，３２ａと不織布からなる裏地３０ｂ，３２ｂとの間に詰め物としてのウレタンフォーム３０ｃ，３２ｃを介在させ、これら三者を一体にキルティング加工して形成されている。裏地体３１と上部連結布３３と下部連結布３４は不織布からなる。
【００２２】
まち部３２の上端は表地体３０の周縁部にポリエステル繊維からなるエッジテープ３５によって一体に縫合されている。まち部３２の上端と表地体３０の周縁部をエッジテープ３５によって縫合する際、断面円形の発泡ポリエチレン製線状体からなる芯体３６を抱き込んだ状態で上部連結布３３の上端も一緒に縫合されている。上部連結布３３の下端は不織布２５のフランジ部２５ａの下端と一緒に積層体の周側部に位置する連続円筒状袋２２に複数のクリップ３７によって止着されている。
【００２３】
まち部３２の下端は裏地体３１の周縁部にポリエステル繊維からなるエッジテープ３８によって一体に縫合されている。まち部３２の下端と裏地体３１の周縁部をエッジテープ３８によって縫合する際、断面円形の発泡ポリエチレン製線状体からなる芯体３９を抱き込んだ状態で下部連結布３４の上端も一緒に縫合されている。下部連結布３４の上端は不織布２６のフランジ部２６ａの上端と一緒に積層体の周側部に位置する連続円筒状袋２２に複数のクリップ４０によって止着されている。
【００２４】
袋５はポケットコイルマットレス４の外形よりも一回り大きいサイズで、一辺側に開口部５ａが設けられている。袋５はポリエチレンフィルム等からなる気密性を有する合成樹脂袋からなる。フィルム６はポリエチレンフィルム等からなる帯状の合成樹脂フィルムからなり、ポケットコイルマットレス４の幅の略半分程度の幅を有している。
【００２５】
そして、ロール状マットレス２は以下の手順で形成されている。
【００２６】
先ず、図９（ａ）に示すように、ポケットコイルマットレス４を袋５に入れる。
【００２７】
次に、図９（ｂ）に示すように、袋５に入れたポケットコイルマットレス４をプレス機のプランジャ下端の押え板を使用して袋５ごと上から押圧することで、袋５に入れたポケットコイルマットレス４をその厚さ方向に袋５ごと圧縮して袋５の内部から空気（袋５の内部の空気及びポケットコイルマットレス４の内部に含まれる空気）を強制的に排出させ、この圧縮状態で袋５の開口部５ａを溶着することによって封止する。すると、袋５は密封されて、内部のポケットコイルマットレス４はその厚さ方向に圧縮された状態を維持して復元することはない。
【００２８】
次に、図９（ｃ）に示すように、袋５に密封状に圧縮収容されたポケットコイルマットレス４を、その幅方向の最も内側の隣接する２列の連続ポケットコイルスプリング列２３ａ，２３ｂの間からポケットコイルマットレス４の長手方向に沿って縦に二つ折りし、この二つ折り状態でフィルム６の上に載置する。
【００２９】
次に、図９（ｄ）に示すように、フィルム６の上に二つ折り状態で載置されたポケットコイルマットレス４をそのフィルム６と一緒にロール状に巻く。フィルム６の上に二つ折り状態で載置されたポケットコイルマットレス４をそのフィルム６と一緒にロール状に巻く際は、先ず巻き取り機の巻き取り軸の外周（予め、段ボールを丸めてなる段ボール筒で覆ってある。）にフィルム６のみを複数回巻き取り、その後フィルム６に張力を掛けながら、そのフィルム６と一緒にポケットコイルマットレス４をロール状に巻き取る。ポケットコイルマットレス４の巻き取りが終われば、さらに、その外側にフィルム６を複数回巻き付けてからフィルム６をその幅方向に切断し、ロール状マットレス２となす。
【００３０】
最後に、図９（ｅ）に示すように、ロール状マットレス２の外周に片面粘着テープ７を螺旋状に巻き付け、フィルム６の巻き終り端部をその下層のフィルム６に止めてほぐれないようにして、ロール状マットレス２の形態が維持されて解除されることがないようにしてから、ロール状マットレス２を段ボール筒ごと巻き取り機の巻き取り軸から引き抜いて取り出し、その後、ロール状マットレス２から段ボール筒を引き抜いてロール状マットレス２が形成される。
【００３１】
このように形成されたロール状マットレス２を段ボール箱３に入れて図１〜図３に示したマットレス梱包体１となすものである。
【００３２】
以上から明らかなように、本実施形態に係るマットレス梱包体１は、ロール状マットレス２とそのロール状マットレス２が収容される段ボール箱３からなり、ロール状マットレス２は、ポケットコイルマットレス４と袋５とフィルム６からなり、ポケットコイルマットレス４は、複数のコイルスプリング２０を並行配列で配列したポケットコイル集合体２１を備え、ポケットコイル集合体２１は、通気性を有する帯状シート材によりポケットコイルマットレス４の長手方向に沿って連続的に形成された複数の連続円筒状袋２２の１袋に１個のコイルスプリング２０を収容して列状に形成された連続ポケットコイルスプリング列２３をポケットコイルマットレス４の幅方向に複数列に並べてなり、ロール状マットレス２は、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス２がフィルム６の上に載置された状態でそのフィルム６と一緒にロール状に巻かれ、そのロール状のポケットコイルマットレス４の巻き終わりからフィルム６のみがそのロール状のポケットコイルマットレス４の外側でさらに複数回巻かれているロール構造を有するものである。
【００３３】
そして、仮にポケットコイルマットレス４が袋５に密封状に圧縮収容された状態でそのままロール状に巻かれる場合、ロール状マットレス２の軸方向の長さは元のポケットコイルマットレス４の幅以上になり、それに伴いロール状マットレス２の軸方向に沿った段ボール箱３の一辺の長さＡも元のポケットコイルマットレス４の幅ａ以上になる。これに対し、本実施形態のマットレス梱包体１によれば、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス２がロール状に巻かれるので、ロール状マットレス２の軸方向の長さは元のポケットコイルマットレス６の幅ａの略半分になり、それに伴いロール状マットレス２の軸方向に沿った段ボール箱６の一辺の長さＡも元のポケットコイルマットレス４の幅の略半分にすることができる。
【００３４】
また、二つ折りされたポケットコイルマットレス４はそのままロール状に巻かれるのではなく、フィルム６の上に載置された状態でそのフィルム６と一緒にロール状に巻かれ、そのロール状のポケットコイルマットレス４の巻き終わりからフィルム６のみがそのロール状のポケットコイルマットレス４の外側でさらに複数回巻かれているので、袋５に穴が開いて真空が破れたとしても、ロール状マットレス２の形態を維持することができる。
【００３５】
そして、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス４がロール状に巻かれることで、仮にポケットコイルマットレス４が袋５に密封状に圧縮収容された状態でそのままロール状に巻かれる場合に比べて、ロール状マットレス２の直径が長くなり、それに伴いロール状マットレス２の軸方向と直交する段ボール箱３の残り二辺の長さＢ，Ｃも長くなるが、二つ折りされたポケットコイルマットレス４がフィルム６の上に載置された状態でそのフィルム６と一緒にロール状に巻かれる際に、フィルム６に張力を掛けることで、二つ折りされたポケットコイルマットレス４がそのままロール状に巻かれる場合に比べて、ロール状マットレス２の直径が短くなり、それに伴いロール状マットレス２の軸方向と直交する段ボール箱３の残り二辺の長さＢ，Ｃも短くすることができる。
【００３６】
これにより、ポケットコイルマットレス４が袋５に密封状に圧縮収容された状態でポケットコイルマットレス４の幅方向の最も内側の隣接する２列の連続ポケットコイルスプリング列２３ａ，２３ｂの間から縦に二つ折りされ、その二つ折りされたポケットコイルマットレス４がロール状に巻かれることで、ロール状マットレス２の軸方向に沿った段ボール箱３の一辺の長さＡが短くなる分と、ロール状マットレス２の軸方向と直交する段ボール箱３の残り二辺の長さＢ，Ｃが長くなる分とが相殺されることなく、マットレス梱包体１の縦・横・高さの三辺合計を効率よく減らすことができ、すなわち、マットレス梱包体１のさらなるコンパクト化を効率よく実現することができ、商品（ポケットコイルマットレス４）の送料（宅配便料金）が安くなり、商品をさらに安くお客様に届けることができるようになる。
【００３７】
そして、具体的には、例えば幅９７ｃｍ×長さ１９５ｃｍ×厚さ１５ｃｍ〜２０ｃｍ程度のＳ（シングル）サイズで、４６５個のコイルスプリング２０を並行配列（１５列×３１行）で配列したポケットコイル集合体２１を備えるポケットコイルマットレス４の場合、マットレス梱包体１にすると、ロール状マットレス２の軸方向に沿った段ボール箱３の一辺の長さＡが５７ｃｍ（ロール状マットレス２の軸方向の長さが６５ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１３７ｃｍ程度の梱包サイズを実現することができる。
【００３８】
また、幅１２０ｃｍ×長さ１９５ｃｍ×厚さ１５ｃｍ〜２０ｃｍ程度のＳＤ（セミダブル）サイズで、５８９個のコイルスプリング２０を並行配列（１９列×３１行）で配列したポケットコイル集合体２１を備えるポケットコイルマットレス４（図例のもの）の場合、マットレス梱包体１にすると、ロール状マットレス２の軸方向に沿った段ボール箱３の一辺の長さＡが６７ｃｍ（ロール状マットレス２の軸方向の長さが６５ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１４７ｃｍ程度の梱包サイズを実現することができる。
【００３９】
さらに、幅１４０ｃｍ×長さ１９５ｃｍ×厚さ１５ｃｍ〜２０ｃｍ程度のＤ（ダブル）サイズで、６８２個のコイルスプリング２０を並行配列（２２列×３１行）で配列したポケットコイル集合体２１を備えるポケットコイルマットレス４（図例のもの）の場合、マットレス梱包体１にすると、ロール状マットレス２の軸方向に沿った段ボール箱３の一辺の長さＡが７７ｃｍ（ロール状マットレス２の軸方向の長さが７０ｃｍ）、ロール状マットレス２の軸方向と直交する段ボール箱３の残り二辺の長さがそれぞれ４０ｃｍ（ロール状マットレス２の直径が３８ｃｍ）で、その縦・横・高さの三辺合計が１５７ｃｍ程度の梱包サイズを実現することができる。
【００４０】
このように、複数のコイルスプリング２０を並行配列で配列したポケットコイルマットレス４をその厚さ方向に圧縮し、そして最も内側の隣接する２列の連続ポケットコイルスプリング列２３ａ，２３ｂの間から縦に二つ折りし、その後、フィルム６に張力を掛けながらそのフィルム６と一緒にロール状に巻くことで、ＳＤ、Ｄサイズの梱包サイズが三辺合計で１６０ｃｍ以下になり、これにより、商品（ポケットコイルマットレス４）の送料（宅配便料金）が安くなり、商品をさらに安くお客様に届けることができるようになる。
【符号の説明】
【００４１】
１  マットレス梱包体
２  ロール状マットレス
３  段ボール箱
４  ポケットコイルマットレス
５  袋
６  フィルム
２０  コイルスプリング
２１  ポケットコイル集合体
２２  連続円筒状袋
２３  連続ポケットコイルスプリング列